(57)【要約】  環境制御システム（１０）は、対象者（２００）に向けて風を送出する送風装置（２０）と、送風装置（２０）が送出する風の風速を１５分以上６０分以下の周期で変化させ、かつ、風速が最小値となる時間を周期の７５％以下とすることにより、対象者（２００）の交感神経の働きを副交感神経の働きよりも優位にする制御を行う制御装置（１２０）とを備える。
2020090641.tif 000002
【特許請求の範囲】
【請求項１】
対象者に向けて風を送出する送風装置と、
前記送風装置が送出する風の風速を１５分以上６０分以下の周期で変化させ、かつ、風速が最小値となる時間を前記周期の７５％以下とすることにより、前記対象者の交感神経の働きを副交感神経の働きよりも優位にする制御を行う制御装置とを備える
環境制御システム。
【請求項２】
前記周期は、風速が最小値となる第一期間、及び、前記第一期間以外の第二期間を含み、
前記第二期間の長さは、１０分以上３０分以下である
請求項１に記載の環境制御システム。
【請求項３】
前記第一期間の長さは、５分以上２５分以下である
請求項２に記載の環境制御システム。
【請求項４】
前記制御装置は、前記制御において、前記送風装置が送出する風の風速を、前記所定の周期よりも短い時間間隔でゆらがせる
請求項１〜３のいずれか１項に記載の環境制御システム。
【請求項５】
前記制御において、前記送風装置が送出する風の風速が最小値から最大値になるまでの時間は、前記送風装置が送出する風の風速が最大値から最小値になるまでの時間よりも短い
請求項１〜４のいずれか１項に記載の環境制御システム。
【請求項６】
さらに、前記対象者が位置する空間の温度を調整するための空調装置を備え、
前記制御装置は、前記制御において、前記空調装置を用いて前記対象者の周囲の温度を上昇及び下降させ、
前記制御においては、前記対象者の周囲の温度の上昇及び下降が切り替わるときに前記送風装置が送出する風の風速が上がる
請求項１〜５のいずれか１項に記載の環境制御システム。
【請求項７】
さらに、前記対象者が位置する空間を照らす照明装置を備え、
前記制御装置は、前記制御において、最初に前記送風装置が送出する風の風速が上がるときに、前記照明装置を用いて前記空間の照度を上げる
請求項１〜６のいずれか１項に記載の環境制御システム。
【請求項８】
前記制御装置は、前記制御において、最初に前記送風装置が送出する風の風速が上がるときに、前記照明装置が発する光の色温度を上げる
請求項７に記載の環境制御システム。
【請求項９】
さらに、前記対象者が位置する空間へ取り入れられる外光の量を調整する外光調整装置を備え、
前記制御装置は、前記制御において、最初に前記送風装置が送出する風の風速が上がるときに、前記外光調整装置を用いて前記空間へ取り入れられる外光の光量を増大させる
請求項１〜８のいずれか１項に記載の環境制御システム。
【請求項１０】
さらに、前記対象者が位置する空間に配置された間接照明装置を備え、
前記制御装置は、前記制御において、前記間接照明装置が発する光の照度をゆらがせる
請求項１〜９のいずれか１項に記載の環境制御システム。
【請求項１１】
さらに、前記対象者が位置する空間に配置された間接照明装置を備え、
前記制御装置は、前記制御において、最初に前記送風装置が送出する風の風速が上がるときに、前記間接照明装置が発する光の発光色を変更する
請求項１〜１０のいずれか１項に記載の環境制御システム。
【請求項１２】
さらに、前記対象者が位置する空間の換気を行う換気装置を備え、
前記制御装置は、前記制御において、前記換気装置を用いて前記空間における二酸化炭素濃度を１０００ｐｐｍ未満にする
請求項１〜１１のいずれか１項に記載の環境制御システム。
【請求項１３】
さらに、前記対象者が位置する空間に配置された、スピーカ及び香り発生装置を備え、
前記制御装置は、前記制御において、前記送風装置が送出する風の風速が上がるときに、前記スピーカが発する音を変化させ、かつ、前記香り発生装置が発する香りを変化させる
請求項１〜１２のいずれか１項に記載の環境制御システム。
【請求項１４】
前記対象者が位置する空間における環境情報を計測する計測装置を備える
請求項１〜１３のいずれか１項に記載の環境制御システム。
【請求項１５】
前記制御装置は、現在時刻情報を取得し、取得した前記現在時刻情報に基づいて前記制御を実行する
請求項１〜１４のいずれか１項に記載の環境制御システム。
【請求項１６】
前記制御装置は、前記対象者の生体情報を取得し、取得した前記生体情報に基づいて前記制御を実行する
請求項１〜１５のいずれか１項に記載の環境制御システム。
【請求項１７】
送風装置が対象者に向けて送出する風の風速を１５以上６０分以下の周期で変化させ、かつ、風速が最小値となる時間を前記周期の７５％以下とすることにより、前記対象者の交感神経の働きを副交感神経の働きよりも優位にする制御を行う
環境制御方法。
【発明の詳細な説明】
【技術分野】
【０００１】
本発明は、環境制御システム、及び、環境制御方法に関する。
【背景技術】
【０００２】
特許文献１には、生理情報及び行動情報を併用することにより居住者の身体状態を検出し、上記身体状態に対して住宅設備機器を個人にとって最適に制御する環境制御機器が開示されている。
【先行技術文献】
【特許文献】
【０００３】
【特許文献１】特開２００１−０４１５３１号公報
【発明の概要】
【発明が解決しようとする課題】
【０００４】
本発明は、対象者の覚醒度の向上、及び、対象者の活気の向上等を図ることができる環境制御システム及び環境制御方法を提供する。
【課題を解決するための手段】
【０００５】
本発明の一態様に係る環境制御システムは、対象者に向けて風を送出する送風装置と、前記送風装置が送出する風の風速を１５分以上６０分以下の周期で変化させ、かつ、風速が最小値となる時間を前記周期の７５％以下とすることにより、前記対象者の交感神経の働きを副交感神経の働きよりも優位にする制御を行う制御装置とを備える。【０００６】
本発明の一態様に係る環境制御方法は、送風装置が対象者に向けて送出する風の風速を１５以上６０分以下の周期で変化させ、かつ、風速が最小値となる時間を前記周期の７５％以下とすることにより、前記対象者の交感神経の働きを副交感神経の働きよりも優位にする制御を行う。
【発明の効果】
【０００７】
本発明によれば、対象者の覚醒度の向上、及び、対象者の活気の向上等を図ることができる環境制御システム及び環境制御方法が実現される。
【図面の簡単な説明】
【０００８】
【図１】図１は、実施の形態に係る環境制御システムの構成を示す図である。
【図２】図２は、制御装置の機能構成を示すブロック図である。
【図３】図３は、対象者の交感神経の働きを優位にする制御を説明するためのタイムチャートである。
【図４】図４は、風速のゆらぎの一例を示す図である。
【図５】図５は、交感神経の働きと副交感神経の働きとを示す図である。
【図６】図６は、実施の形態に係る環境制御システムの動作例１のフローチャートである。
【図７】図７は、交感神経及び副交感神経の働きと生体情報の変化の関係を示す図である。
【図８】図８は、心拍数に基づく制御を説明するための図である。
【発明を実施するための形態】
【０００９】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、独立請求項に記載されていない構成要素については、任意の構成要素として説明される。
【００１０】
なお、各図は模式図であり、必ずしも厳密に図示されたものではない。また、各図において、実質的に同一の構成に対しては同一の符号を付し、重複する説明は省略または簡略化される場合がある。
【００１１】
（実施の形態）
［環境制御システムの構成］
まず、実施の形態に係る環境制御システムの構成について説明する。図１は、実施の形態に係る環境制御システムの構成を示す図である。
【００１２】
図１に示される環境制御システム１０は、部屋などの閉空間である空間３００内の環境に関連する対象装置を制御することにより、対象者２００の自律神経の働きを調整する制御を行う。
【００１３】
自律神経には、対照的に働く交感神経及び副交感神経の２種類の神経が含まれる。環境制御システム１０は、交感神経の働きを副交感神経の働きよりも優位にする制御（以下、単に、交感神経の働きを優位にする制御とも記載される）を行う。交感神経の働きを副交感神経の働きよりも優位にすることで、対象者２００の覚醒度の向上、及び、対象者２００の活気の向上等を図ることができる。
【００１４】
環境制御システム１０は、具体的には、送風装置２０と、空調装置３０と、照明装置４０と、外光調整装置５０と、間接照明装置６０と、換気装置７０と、スピーカ８０と、香り発生装置９０と、環境計測装置１００と、生体情報計測装置１１０と、制御装置１２０とを備える。
【００１５】
送風装置２０は、対象者２００に向けて風を送出する装置である。送風装置２０は、具体的には、サーキュレータなどの比較的指向性の高い送風装置であるが、扇風機などであってもよい。
【００１６】
空調装置３０は、対象者２００が位置する空間３００の温度を調整するための装置である。空調装置３０は、空間３００の湿度を調整することもできる。空調装置３０は、空間３００の温度及び湿度を、制御装置１２０によって指示された温度及び湿度に近づける。
【００１７】
照明装置４０は、対象者２００が位置する空間３００を照らす直接照明用の装置である。照明装置４０は、例えば、ＬＥＤなどの発光素子を光源として有するシーリングライトであるが、ベースライトまたはダウンライトなどのその他の照明装置であってもよい。照明装置４０は、制御装置１２０によって調光及び調色が可能である。
【００１８】
外光調整装置５０は、対象者２００が位置する空間３００へ取り入れられる外光の量を調整する装置である。外光調整装置５０は、例えば、調光フィルムなどによって実現される電子ブラインドであるが、電動式ブラインド（電動式シャッター）などであってもよい。
【００１９】
間接照明装置６０は、対象者２００が位置する空間３００に配置された間接照明用の装置である。つまり、間接照明装置６０は、空間３００を規定する壁または天井などの構造物を照らす。間接照明装置６０は、例えば、発光色が異なる複数の光源を有することにより発光色を変更可能である。間接照明装置６０は、光源及び光学フィルタの組み合わせによって任意の発光色を実現してもよい。間接照明装置６０の発光色は、例えば、赤の単色光、緑の単色光、及び、青の単色光のいずれかに変更可能である。なお、間接照明装置６０が発する光の色は、特に限定されず、例えば、ユーザの好みに応じた任意の色であればよい。
【００２０】
換気装置７０は、対象者２００が位置する空間３００の換気を行う。換気装置７０は、空調装置３０と異なり、温度調整機能を有していない。換気装置７０は、例えば、全熱交換器（ＥＲＶ：Ｅｎｅｒｇｙ  Ｒｅｃｏｖｅｒｙ  Ｖｅｎｔｉｌａｔｏｒ）であるが、換気扇などの熱交換をともなわない換気装置であってもよい。また、換気装置７０は、空間３００に設けられた窓の開閉装置であってもよい。
【００２１】
スピーカ８０は、対象者２００が位置する空間３００に配置され、音声または音楽などを出力する装置である。
【００２２】
香り発生装置９０は、対象者２００が位置する空間に配置された、香りを発する装置である。香り発生装置９０は、例えば、アロマディフューザであるが、その他の香り発生装置であってもよい。香り発生装置９０は送風装置２０やスピーカ８０と統合された機器であってもよい。
【００２３】
環境計測装置１００は、対象者２００が位置する空間３００における環境情報を計測する装置である。環境計測装置１００は、例えば、空間３００における温度を計測する温度センサ、空間３００における湿度を計測する湿度センサ、空間３００における照度を計測する照度センサ、空間３００における二酸化炭素（ＣＯ２）濃度を計測するＣＯ２センサなどである。
【００２４】
生体情報計測装置１１０は、対象者２００の生体情報を計測する装置である。生体情報計測装置１１０は、対象者２００の体温、血圧、心拍数、脈波、発汗量、瞳孔径、表皮温度、または、表情などを生体情報として計測する。生体情報計測装置１１０は、心拍、脈波、及び、呼吸変動波形から算出されるＶＬＦ（Ｖｅｒｙ  Ｌｏｗ  Ｆｒｅｑｕｅｎｃｙ）、ＨＦ（Ｈｉｇｈ  Ｆｒｅｑｕｅｎｃｙ）、ＬＦ（Ｌｏｗ  Ｆｒｅｑｕｅｎｃｙ）、ＬＦ／ＨＦ、吸気時間、排気時間、ポーズ時間などを計測してもよい。生体情報計測装置１１０は、例えば、対象者２００の体に装着されるウェアラブル型のセンサ（言い換えれば、接触型のセンサ）であるが、非接触型のセンサであってもよい。非接触型のセンサとしては、心拍数、呼吸数、脈波などを計測できる電波センサ、瞳孔径または表情を計測できるカメラなどが例示される。
【００２５】
制御装置１２０は、送風装置２０、空調装置３０、照明装置４０、外光調整装置５０、間接照明装置６０、換気装置７０、スピーカ８０、及び、香り発生装置９０などの対象装置を制御する装置である。図２は、制御装置１２０の機能構成を示すブロック図である。
【００２６】
図２に示されるように、制御装置１２０は、制御部１２１と、通信部１２２と、計時部１２３と、記憶部１２４と、操作受付部１２５とを備える。
【００２７】
制御部１２１は、通信部１２２に制御信号を送信させることにより、対象装置を制御する。制御部１２１は、例えば、マイクロコンピュータによって実現されるが、プロセッサによって実現されてもよい。
【００２８】
通信部１２２は、制御装置１２０が、対象装置と通信するための通信回路（言い換えれば、通信モジュール）である。通信部１２２は、例えば、制御部１２１の制御に基づいて対象装置に制御信号を送信する。また、通信部１２２は、環境計測装置１００から空間３００の環境情報を受信し、生体情報計測装置１１０から対象者２００の生体情報を受信する。通信部１２２は、例えば、無線通信を行うが、有線通信を行ってもよい。通信部１２２によって行われる通信の通信規格は特に限定されない。
【００２９】
計時部１２３は、現在時刻を計測する。計時部１２３は、例えば、リアルタイムクロックなどによって実現される。
【００３０】
記憶部１２４は、制御部１２１が対象装置を制御するための制御プログラムなどが記憶される記憶装置である。記憶部１２４は、例えば、半導体メモリによって実現される。
【００３１】
操作受付部１２５は、対象者２００などのユーザの操作（例えば、交感神経の働きを優位にする制御に関する設定操作）を受け付ける。操作受付部１２５は、タッチパネルまたはハードウェアボタンなどによって実現される。
【００３２】
［送風装置の制御］
上述のように、環境制御システム１０は、対象者２００の交感神経の働きを優位にする制御を行うことができる。以下、このような制御の詳細について説明する。図３は、対象者２００の交感神経の働きを優位にする制御を説明するためのタイムチャートである。なお、図３は、時間０分が制御の開始時刻であり、一例として開始時刻までは快適性のみを考慮した対象装置の制御が行われているものとする。図３では、０分〜９０分までが図示されているが、９０分以降については、３０分〜９０分と同様の制御が繰り返される。
【００３３】
なお、交感神経の働きを優位にする制御においては、少なくとも１つの対象装置が制御されればよいが、複数の対象装置が制御されてもよい。これにより、対象者２００に与えられる刺激が強められるため、より交感神経の働きを優位にすることができる。
【００３４】
まず、図３の送風装置（１）の欄を参照しながら送風装置２０の制御について説明する。送風装置２０は、対象者２００の皮膚が露出している、腕、首、及び、顔といった部位に風を送出することができる位置に設置される。送風装置２０は、例えば、対象者２００の顔に向かい風が当たるように設置される。このように、対象者２００の体表に直接風をあてることで、対象者２００の体感温度を下げるなどの強い刺激を与えられるとともに、対象者２００の顔周辺の酸素濃度を下げることが可能であるため、交感神経の働きを優位にすることができる。
【００３５】
このような設置状態で、制御装置１２０の制御部１２１は、送風装置２０が送出する風の風速を１５分以上６０分以下の所定の周期で変化させる。また、制御部１２１は、風速が最小値となる時間を所定の周期の７５％以下とする。このように風速が経時的に変化すれば、対象者２００に風による刺激を定常的に与えることができる（対象者２００が風による刺激に慣れにくくなる）とともに、対象者２００の疲労度を抑制することができるため、交感神経の働きが優位な状態が維持されやすくなる。
【００３６】
制御部１２１は、より具体的には、送風装置２０が送出する風の風速を３０分周期で変化させる。一般に、人間の集中力が持続する時間は１５分〜６０分程度であるとされており、風速が１５分以上６０分以下の所定の周期（例えば、３０分周期）で変化することにより、対象者２００に効果的に刺激を与えることができる。なお、図３の送風装置（１）の欄では、風速が最小値となる時間は所定の周期の３３％に相当するが、所定の周期の７５％以下であればよい。
【００３７】
図３の送風装置（１）の欄に示されるように、送風装置２０が送出する風の風速は、制御開始直後に最大値（例えば、１．５ｍ／ｓｅｃ）に達し、１５分間最大値のまま維持される。その後、風速は、５分間かけて線形に低下して最小値（例えば、０．５ｍ／ｓｅｃ）に達し、１０分間最小値のまま維持される。なお、図３の送風装置（２）の欄に示されるように、送風装置２０が送出する風の風速は、制御開始直後に最大値に達し、１０分間最大値のまま維持された後５分間かけて線形に低下して最小値に達し、１５分間最小値のまま維持されてもよい。
【００３８】
発明者らの詳細な検討によれば、所定の周期を風速が最小値となる（つまり、無風または微風となる）第一期間、及び、第一期間以外の第二期間に分けた場合、第一期間の長さは１５分以下が望ましく、第二期間の長さは２０分以下が望ましい。つまり、第一期間は、５分以上２５分以下程度であることが望ましい。同様に、第二期間は、１０分以上３０分以下程度であることが望ましい。
【００３９】
また、送風装置２０が送出する風の風速が最小値から最大値になるまでの時間（例えば、ほぼ０）は、送風装置２０が送出する風の風速が最大値から最小値になるまでの時間（例えば、５分間）よりも短い。
【００４０】
このように、送風装置２０が送出する風の風速が最小値から最大値になるまでの時間が比較的短く設定されれば、対象者２００に効果的に刺激を与えることができる。また、送風装置２０が送出する風の風速が最大値から最小値になるまでの時間が比較的短く設定されれば、対象者２００が違和感を感じることを抑制することができる。
【００４１】
ところで、図３では正確に図示されていないが、制御部１２１は、送風装置２０が送出する風の風速を、最大値（例えば、１．５ｍ／ｓｅｃ）を基準にゆらぎ最大値（例えば、２．０ｍ／ｓｅｃ）からゆらぎ最小値（例えば、０．５ｍ／ｓｅｃ）まで変化させている。つまり、図３において風速は直線的に変化しているように見えるが、実際には風速が変化している。以下では、このような風速の変化を「ゆらぎ」とも表現する。図４は、このような風速のゆらぎの一例を示す図である。
【００４２】
風速のゆらぎは、例えば、１／ｆゆらぎであるが、ランダムなゆらぎであってもよい。１／ｆゆらぎは、パワースペクトル密度が周波数ｆに反比例するゆらぎを意味する。風速のゆらぎは、１ｓｅｃ〜１０ｓｅｃ程度の数秒オーダーの周期で形成される。つまり、制御部１２１は、送風装置が送出する風の風速を、所定の周期（３０分）よりも短い時間間隔でゆらがせる。
【００４３】
このように風速が定常的に変化すれば、対象者２００に風による刺激を定常的に与えることができる（対象者２００が風による刺激に慣れにくくなる）ため、交感神経の働きが優位な状態が維持されやすくなる。また、ゆらぎが周期的でなければ、さらに対象者２００に風による刺激を定常的に与えることができる（対象者２００が風による刺激に慣れにくくなる）。
【００４４】
［他の対象装置の制御］
以下、他の対象装置の制御について引き続き図３を参照しながら説明する。
【００４５】
まず、空調装置３０の制御について説明する。制御部１２１は、空調装置３０を用いて対象者２００の周囲の温度を上昇及び下降させる。制御部１２１は、交感神経の働きを優位にする制御の開始当初に、３０分かけて周囲の温度を基準温度から３℃低下させた後、３０分かけて周囲の温度を３℃上昇させる。なお、温度変化は３０分以内であることが望ましい。その後はこのような温度変化が繰り返される。基準温度は、季節によって異なり、例えば、夏場は２５℃以上２７℃以下の所定温度であり、春及び秋は２１℃以上２３℃以下の所定温度であり、冬場は１７℃以上２０℃以下の所定温度である。なお、交感神経の働きを優位にするためには、３℃以上温度を変化させたほうがよい場合がある。健康面を考慮すると温度変化は５℃以内であればよく、図３の例では、３℃としている。
【００４６】
なお、対象者２００の周囲の温度は、例えば、環境計測装置１００によって計測され、制御部１２１は環境計測装置１００によって計測された温度に基づいて空調装置３０を制御する。制御部１２１は、環境計測装置１００を用いずに、空調装置３０の温度設定を上記のように６０分周期で上昇及び下降させてもよい。
【００４７】
このように、制御部１２１は、所定の周期（例えば、６０分周期）で温度を上昇及び下降させる。温度が経時的に変化すれば、対象者２００に温度による刺激を定常的に与えることができる（対象者２００が温度による刺激に慣れにくくなる）ため、対象者２００の交感神経の働きが優位な状態が維持されやすくなる。
【００４８】
また、制御部１２１は、対象者２００の周囲の温度の上昇及び下降が切り替わるタイミングを、送風装置２０が送出する風の風速が上がるタイミングに合わせている。つまり、対象者２００の周囲の温度の上昇及び下降が切り替わるときに送風装置２０が送出する風の風速が上がる。これにより、送風装置２０が風速を上げるタイミング、すなわち対象者２００への刺激を強めるタイミングでもう一つの刺激として温度変化が発生するため、より刺激を強められる。したがって、対象者２００の交感神経の働きをより優位にすることができる。
【００４９】
なお、制御部１２１は、交感神経の働きを優位にする制御が行われている間、空調装置３０を用いて、空間３００の湿度を４０％以上６０％以下の範囲にする。
【００５０】
次に、照明装置４０の制御について説明する。制御部１２１は、最初に送風装置２０が送出する風の風速が上がるとき（言い換えれば、交感神経の働きを優位にする制御の開始当初）に、照明装置４０を用いて空間３００の照度を上げる。制御部１２１は、例えば、制御開始から５分間で空間３００の照度を３０００ルクスまで上げる。対象者２００が照度変動に嫌悪感を抱かない程度に照度を時間変動させることが好ましい。
【００５１】
これにより、空間３００を明るくすることによって対象者２００の交感神経の働きを優位にすることができる。
【００５２】
また、制御部１２１は、最初に送風装置２０が送出する風の風速が上がるときに、照明装置４０が発する光の色温度を上げる。なお、図３の例では、色温度が変化していないが、制御開始前の色温度が低い場合には色温度を上げる制御が行われる。対象者２００が色度変動に嫌悪感を抱かない程度に照度を時間変動させることが好ましい。
【００５３】
これにより、空間３００を色温度の高い照明環境にすることによって対象者２００の交感神経の働きを優位にすることができる。
【００５４】
次に、外光調整装置５０の制御について説明する。制御部１２１は、最初に送風装置２０が送出する風の風速が上がるとき（言い換えれば、交感神経の働きを優位にする制御の開始当初）に、外光調整装置５０を用いて空間３００へ取り入れられる外光の光量を増大させる。制御部１２１は、具体的には、外光調整装置５０の光の透過率を上げる。対象者２００が照度変動に嫌悪感を抱かない程度に照度を変動させることが好ましい。
【００５５】
これにより、空間３００を明るくすることによって対象者２００の交感神経の働きを優位にすることができる。
【００５６】
なお、制御部１２１は、その後、外光調整装置５０を天候に応じて制御してもよい。天候は、例えば、外光調整装置５０が備える照度センサが示す照度に基づいて行われる。例えば、制御部１２１は、天候が曇りの場合（照度センサが示す照度が比較的低い場合）には、外光調整装置５０の光の透過率を１００％とし、天候が晴れの場合（照度センサが示す照度が比較的高い場合）は、グレアを抑える目的等のため、透過率を例えば１０％程度まで低下させる。
【００５７】
次に、間接照明装置６０の制御について説明する。制御部１２１は、最初に送風装置２０が送出する風の風速が上がるとき（言い換えれば、交感神経の働きを優位にする制御の開始当初）に、間接照明装置６０が発する光の発光色を変更する。制御部１２１は、例えば、制御開始から５分間で輝度（実質的には照度）を０（無色）ｃｄ／ｍ２から６０ｃｄ／ｍ２まで上げる。この時の発光色は、例えば、赤色であるが、橙色などであってもよい。制御部１２１は、交感神経の働きを優位にする制御の開始当初に、間接照明装置６０が出射する光の色度を、当該色度のＣＩＥ  １９３１色空間の色度図のｘ座標が大きくなるように変更すればよい。これにより、対象者２００の交感神経の働きを優位にすることができる。
【００５８】
また、図３では正確に図示されていないが、制御部１２１は、間接照明装置６０が発する光の照度をゆらがせる。つまり、間接照明装置６０が発する光の明るさを１ｓｅｃ〜１０ｓｅｃ程度の数秒オーダーの周期（一定周期でもよいし、ランダムな周期であってもよい）で明るくしたり暗くしたりする。間接照明装置６０が発する光は、一定の振幅でゆらいでもよいし、ランダムな振幅でゆらいでもよい。例えば、制御部１２１は、図４の風速の波形のように間接照明装置６０が発する光の照度をゆらがせてもよい。
【００５９】
このように間接光の照度が定常的に変化すれば、対象者２００に間接光による刺激を定常的に与えることができる（対象者２００が間接光による刺激に慣れにくくなる）ため、対象者２００の交感神経の働きが優位な状態が維持されやすくなる。
【００６０】
次に、換気装置７０の制御について説明する。制御部１２１は、換気装置７０を用いて空間３００における二酸化炭素濃度を１０００ｐｐｍ未満にする。１０００ｐｐｍは、所定の濃度の一例である。制御部１２１は、例えば、空間３００における二酸化炭素濃度が高いときに、換気装置７０の換気量を増加させることにより、空間３００における二酸化炭素濃度を１０００ｐｐｍ未満にする。なお、空間３００の二酸化炭素濃度は、例えば、環境計測装置１００によって計測され、制御部１２１は環境計測装置１００によって計測された二酸化炭素濃度に基づいて換気装置７０を制御する。
【００６１】
これにより、空間３００における二酸化炭素濃度を低下させることによって対象者２００の交感神経の働きを優位にすることができる。
【００６２】
次に、スピーカ８０及び香り発生装置９０の制御について説明する。制御部１２１は、送風装置２０が送出する風の風速が上がるときに、スピーカ８０が発する音を変化させる。ここでの「音を変化させる」には、出音されていない状態で出音を開始することが含まれる。スピーカ８０は、例えば、比較的アップテンポな曲を出力する。これにより、送風装置２０が風速を上げるタイミング、すなわち対象者２００への刺激を強めるタイミングでもう一つの刺激として音が変化するため、より刺激を強められる。したがって、対象者２００の交感神経の働きをより優位にすることができる。
【００６３】
また、制御部１２１は、送風装置２０が送出する風の風速が上がるときに、香り発生装置が発する香りを変化させる。ここでの「香りを変化させる」には、香りが発生していない状態で香りの発生を開始することが含まれる。香り発生装置９０は、例えば、ミントの香りなどの心地よい刺激のある香りを発生させる。これにより、送風装置２０が風速を上げるタイミング、すなわち対象者２００への刺激を強めるタイミングでもう一つの刺激として香りが変化するため、より刺激を強められる。したがって、対象者２００の交感神経の働きをより優位にすることができる。
【００６４】
［動作例１］
一般に、人の自律神経は、昼間は交感神経の働きが副交感神経の働きよりも優位になり、夜間は交感神経の働きが副交感神経の働きよりも優位になる。図５は、交感神経の働きと副交感神経の働きとを示す図である。つまり、交感神経の働きを優位にすべき時間帯は、ある程度決まっているといえる。
【００６５】
そこで、制御装置１２０は、上述の交感神経の働きを優位にする制御を、交感神経の働きを優位にすべき時間帯に実行（開始）する。図６は、このような動作例１のフローチャートである。
【００６６】
制御部１２１は、計時部１２３によって計測される現在時刻を取得し（Ｓ１１）、取得された現在時刻が開始時刻であるか否かを判定する（Ｓ１２）。開始時刻は、例えば、ＡＭ８：００などであり、あらかじめ設定されるが、操作受付部１２５が受け付けた対象者２００の設定操作によって設定されてもよい。
【００６７】
制御部１２１は、現在時刻が開始時刻であると判定すると（Ｓ１２でＹｅｓ）、交感神経の働きを優位にする制御を実行する（Ｓ１３）。また、制御部１２１は、現在時刻が開始時刻でないと判定すると（Ｓ１２でＮｏ）、現在時刻の取得（Ｓ１１）、及び、現在時刻が開始時刻であるか否かの判定を継続する（Ｓ１２）。
【００６８】
このように、環境制御システム１０は、現在時刻情報を取得し、取得した現在時刻情報に基づいて交感神経の働きを優位にする制御を実行する。このような環境制御システム１０は、交感神経の働きを優位にする制御を、交感神経の働きを優位にすべき時間帯に実行（開始）することができる。つまり、環境制御システム１０は、対象者２００の自律神経の乱れを抑制することができる。
【００６９】
［動作例２］
制御装置１２０は、対象者２００の生体情報を取得し、取得した生体情報に基づいて制御を実行してもよい。生体情報は、生体情報計測装置１１０によって計測される。図７は、交感神経及び副交感神経の働きと生体情報の変化の関係を示す図である。図７に示されるように、対象者２００の体温、血圧、心拍数、脈波、発汗量、瞳孔径、表皮温度、及び、表情などの生体情報は、交感神経の働きと関連しており、交感神経の働きを優位にする制御を開始するための指標として利用できる。
【００７０】
図８は、心拍数に基づく制御の実行タイミングを説明するための図である。例えば、対象者２００の１日の安静時の心拍数の変化を複数日分取得し、記憶部１２４には、これらを平均した１日の心拍数の変化が心拍数の基準データとして記憶される。基準データは、図８において実線で示される。なお、このような基準データは、対象者２００に最適化されたものであるが、当該基準データに代えて、任意の人に適用される絶対的な基準データが用いられてもよい。
【００７１】
制御部１２１は、生体情報計測装置１１０によって計測される対象者２００の心拍数をモニタし、記憶部１２４に記憶された基準データと比較する。心拍数が基準データよりも低い場合には、交感神経の働きが弱いと推定される。したがって、交感神経の働きを優位にする制御を行う必要があると考えられる。
【００７２】
そこで、制御部１２１は、例えば、生体情報計測装置１１０によって計測される心拍数が基準データよりも閾値ａ（ａ＞０）だけ低下した時刻ｔに、交感神経の働きを優位にする制御を実行（開始）する。このような環境制御システム１０は、対象者２００の交感神経の働きが通常よりも弱いと推定される場合に、交感神経の働きを優位にする制御を実行することができる。つまり、環境制御システム１０は、対象者２００の自律神経の乱れを抑制することができる。なお、心拍数以外の生体情報を用いても同様の動作が可能である。
【００７３】
［効果等］
以上説明したように、環境制御システム１０は、対象者２００に向けて風を送出する送風装置２０と、送風装置２０が送出する風の風速を１５分以上６０分以下の周期で変化させ、かつ、風速が最小値となる時間を周期の７５％以下とすることにより、対象者２００の交感神経の働きを副交感神経の働きよりも優位にする制御を行う制御装置１２０とを備える。
【００７４】
このような環境制御システム１０は、風速を経時的に変化させることで、対象者２００に風による刺激を定常的に与えることができる。対象者２００が風による刺激に慣れにくくなるため、交感神経の働きが優位な状態が維持されやすくなる。環境制御システム１０は、交感神経の働きを副交感神経の働きよりも優位にすることで、対象者２００の覚醒度の向上、及び、対象者２００の活気の向上等を図ることができる。
【００７５】
また、上記周期は、風速が最小値となる第一期間、及び、第一期間以外の第二期間を含み、第二期間の長さは、１０分以上３０分以下である。
【００７６】
このように、風速が比較的強くなる第二期間の長さが制限されれば、対象者２００が風による刺激により慣れにくくなる。つまり、環境制御システム１０は、対象者２００に風による刺激を効果的に与えることができる。
【００７７】
また、第一期間の長さは、５分以上２５分以下である。
【００７８】
これにより、対象者２００への風による刺激が小さい期間が抑制される。つまり、環境制御システム１０は、対象者２００に風による刺激を効果的に与えることができる。
【００７９】
また、制御装置１２０は、上記制御において、送風装置２０が送出する風の風速を、所定の周期よりも短い時間間隔でゆらがせる。
【００８０】
このような環境制御システム１０は、風速を経時的に変化させることで、対象者２００に風による刺激を定常的に与えることができる。対象者２００が風による刺激に慣れにくくなるため、交感神経の働きが優位な状態が維持されやすくなる。
【００８１】
また、上記制御において、送風装置２０が送出する風の風速が最小値から最大値になるまでの時間は、送風装置２０が送出する風の風速が最大値から最小値になるまでの時間よりも短い。
【００８２】
このような環境制御システム１０は、送風装置２０が送出する風の風速が最小値から最大値になるまでの時間を比較的短くすることで、対象者２００に効果的に刺激を与えることができる。また、環境制御システム１０は、送風装置２０が送出する風の風速が最大値から最小値になるまでの時間を比較的短くすることで、対象者２００が違和感を感じることを抑制することができる。
【００８３】
また、例えば、環境制御システム１０は、さらに、対象者２００が位置する空間３００の温度を調整するための空調装置３０を備える。制御装置１２０は、上記制御において、空調装置３０を用いて対象者２００の周囲の温度を上昇及び下降させる。上記制御においては、対象者２００の周囲の温度の上昇及び下降が切り替わるときに送風装置２０が送出する風の風速が上がる。
【００８４】
このような環境制御システム１０は、送風装置２０が風速を上げるタイミング、すなわち対象者２００への刺激を強めるタイミングでもう一つの刺激として温度変化を発生させることで、より刺激を強める。したがって、環境制御システム１０は、対象者２００の交感神経の働きをより優位にすることができる。
【００８５】
また、例えば、環境制御システム１０は、さらに、対象者２００が位置する空間３００を照らす照明装置４０を備える。制御装置１２０は、上記制御において、最初に送風装置２０が送出する風の風速が上がるときに、照明装置４０を用いて空間３００の照度を上げる。
【００８６】
このような環境制御システム１０は、空間３００を明るくすることによって対象者２００の交感神経の働きを優位にすることができる。
【００８７】
また、例えば、制御装置１２０は、上記制御において、最初に送風装置２０が送出する風の風速が上がるときに、照明装置４０が発する光の色温度を上げる。
【００８８】
このような環境制御システム１０は、空間３００を色温度の高い照明環境にすることによって対象者２００の交感神経の働きを優位にすることができる。
【００８９】
また、例えば、環境制御システム１０は、さらに、対象者２００が位置する空間３００へ取り入れられる外光の量を調整する外光調整装置５０を備える。制御装置１２０は、上記制御において、最初に送風装置２０が送出する風の風速が上がるときに、外光調整装置５０を用いて空間３００へ取り入れられる外光の光量を増大させる。
【００９０】
このような環境制御システム１０は、空間３００を明るくすることによって対象者２００の交感神経の働きを優位にすることができる。
【００９１】
また、例えば、環境制御システム１０は、さらに、対象者２００が位置する空間３００に配置された間接照明装置６０を備える。制御装置１２０は、上記制御において、間接照明装置６０が発する光の照度をゆらがせる。
【００９２】
このような環境制御システム１０は、間接光の照度を定常的に変化させることで、対象者２００に間接光による刺激を定常的に与えることができる。対象者２００が間接光による刺激に慣れにくくなるため、対象者２００の交感神経の働きが優位な状態が維持されやすくなる。
【００９３】
また、例えば、環境制御システム１０は、さらに、対象者２００が位置する空間３００に配置された間接照明装置６０を備える。制御装置１２０は、上記制御において、最初に送風装置２０が送出する風の風速が上がるときに、間接照明装置６０が発する光の発光色を変更する。
【００９４】
このような環境制御システム１０は、対象者２００の交感神経の働きを優位にすることができる。
【００９５】
また、例えば、環境制御システム１０は、さらに、対象者２００が位置する空間３００の換気を行う換気装置７０を備える。制御装置１２０は、上記制御において、換気装置７０を用いて空間３００における二酸化炭素濃度を１０００ｐｐｍ未満にする。
【００９６】
このような環境制御システム１０は、空間３００における二酸化炭素濃度を低下させることによって対象者２００の交感神経の働きを優位にすることができる。
【００９７】
また、例えば、環境制御システム１０は、さらに、対象者２００が位置する空間３００に配置された、スピーカ８０及び香り発生装置９０を備える。制御装置１２０は、上記制御において、送風装置２０が送出する風の風速が上がるときに、スピーカ８０が発する音を変化させ、かつ、香り発生装置９０が発する香りを変化させる。
【００９８】
このような環境制御システム１０は、送風装置２０が風速を上げるタイミング、すなわち対象者２００への刺激を強めるタイミングで別の刺激として音及び香りを変化させるため、より刺激を強められる。したがって、環境制御システム１０は、対象者２００の交感神経の働きをより優位にすることができる。
【００９９】
また、例えば、環境制御システム１０は、さらに、対象者２００が位置する空間３００における環境情報を計測する環境計測装置１００を備える。環境計測装置１００は、計測装置の一例である。
【０１００】
このような環境制御システム１０は、空間３００における環境に基づいて上記制御を行うことができる。
【０１０１】
また、例えば、制御装置１２０は、現在時刻情報を取得し、取得した現在時刻情報に基づいて上記制御を実行する。
【０１０２】
このような環境制御システム１０は、交感神経の働きを優位にする制御を、交感神経の働きを優位にすべき時間帯に実行することができる。つまり、環境制御システム１０は、対象者２００の自律神経の乱れを抑制することができる。
【０１０３】
また、例えば、制御装置１２０は、対象者２００の生体情報を取得し、取得した生体情報に基づいて上記制御を実行する。
【０１０４】
このような環境制御システム１０は、生体情報に基づいて対象者２００の交感神経の働きが通常よりも弱いと推定される場合に、交感神経の働きを優位にする制御を実行することができる。つまり、環境制御システム１０は、対象者２００の自律神経の乱れを抑制することができる。
【０１０５】
また、環境制御システム１０などのコンピュータによって実行される環境制御方法は、送風装置２０が対象者２００に向けて送出する風の風速を１５分以上６０分以下の周期で変化させ、かつ、風速が最小値となる時間を周期の７５％以下とすることにより、対象者２００の交感神経の働きを副交感神経の働きよりも優位にする制御を行う。
【０１０６】
このような環境制御方法は、風速を経時的に変化させることで、対象者２００に風による刺激を定常的に与えることができる。対象者２００が風による刺激に慣れにくくなるため、交感神経の働きが優位な状態が維持されやすくなる。また、環境制御方法は、交感神経の働きを副交感神経の働きよりも優位にすることで、対象者２００の覚醒度の向上、及び、対象者２００の活気の向上等を図ることができる。
【０１０７】
（その他の実施の形態）
以上、実施の形態について説明したが、本発明は、上記実施の形態に限定されるものではない。
【０１０８】
例えば、上記実施の形態において、特定の処理部が実行する処理を別の処理部が実行してもよい。また、複数の処理の順序が変更されてもよいし、複数の処理が並行して実行されてもよい。
【０１０９】
また、上記実施の形態において、各構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１１０】
また、各構成要素は、ハードウェアによって実現されてもよい。各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１１１】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。
【０１１２】
例えば、本発明は、環境制御方法として実現されてもよいし、環境制御方法をコンピュータに実行させるためのプログラムとして実現されてもよいし、このようなプログラムが記録されたコンピュータ読み取り可能な非一時的な記録媒体として実現されてもよい。
【０１１３】
また、本発明は、上記実施の形態の制御装置として実現されてもよいし、コンピュータをこのような制御装置として動作させるための当該コンピュータによって実行されるプログラムとして実現されてもよい。また、本発明は、このようなプログラムが記録されたコンピュータ読み取り可能な非一時的な記録媒体として実現されてもよい。
【０１１４】
また、上記実施の形態では、環境制御システムは、複数の装置によって実現されたが、単一の装置として実現されてもよい。環境制御システムが複数の装置によって実現される場合、上記実施の形態で説明された環境制御システムが備える構成要素は、複数の装置にどのように振り分けられてもよい。
【０１１５】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１１６】
１０  環境制御システム
２０  送風装置
３０  空調装置
４０  照明装置
５０  外光調整装置
６０  間接照明装置
７０  換気装置
８０  スピーカ
９０  香り発生装置
１００  環境計測装置（計測装置）
１２０  制御装置
２００  対象者
３００  空間
【図１】
2020090641.tif 000003
【図２】
2020090641.tif 000004
【図３】
2020090641.tif 000005
【図４】
2020090641.tif 000006
【図５】
2020090641.tif 000007
【図６】
2020090641.tif 000008
【図７】
2020090641.tif 000009
【図８】
2020090641.tif 000010
【国際調査報告】
2020090641.tif 000011
2020090641.tif 000012
2020090641.tif 000013
2020090641.tif 000014